(57)【特許請求の範囲】
【請求項１】
帯状のバンド基材に情報を表示可能としているとともに、人体の四肢の少なくともいずれかひとつに巻き付け可能なリストバンドであって、
前記バンド基材には、その表面全面に剥離剤層が設けられ、
裏面の一端部近傍に粘着剤層が設けられて粘着部を形成し、
裏面の前記粘着剤層が設けられていない残余部分を糊なし部とし、
前記粘着部と前記糊なし部とを向かい合わせて貼着し、環状に形成可能であるとともに、
前記バンド基材のうち、粘着部と、該粘着部を向かい合わせて貼着する糊なし部とには、バンド基材を貫通する複数の破断用切込みを形成し、
前記糊なし部の破断用切込みは、バンド基材の長手方向と平行に複数条配列しており、
糊なし部に形成された破断用切込みのバンド基材の長手方向の形成範囲は、粘着部に形成された破断用切込みの形成範囲よりも広範囲に渡ることを特徴とする台紙なしリストバンド。
【請求項２】
人体の四肢の少なくともいずれかひとつに巻き付けて情報を表示するリストバンドが複数連なったリストバンド連続体であって、
情報を表示可能な長尺帯状のバンド基材と、該バンド基材の表面全面に設けられた剥離剤層と、を含み、
前記バンド基材および前記剥離剤層を貫通して前記リストバンド連続体をリストバンド一単位に区画するミシン目が等間隔で形成され、
該ミシン目によって区画された一単位のリストバンドの裏面には、前記ミシン目の隣接位置に粘着剤層が設けられて粘着部を形成すると共に、前記粘着剤層が設けられていない残余部分を糊なし部とし、
前記粘着部と前記糊なし部とを向かい合わせて貼着し、環状に形成可能であるとともに、
前記バンド基材のうち、粘着部と、該粘着部を向かい合わせて貼着する糊なし部とには、バンド基材を貫通する複数の破断用切込みを形成し、
前記糊なし部の破断用切込みは、バンド基材の長手方向と平行に複数条配列しており、
糊なし部に形成された破断用切込みのバンド基材の長手方向の形成範囲は、粘着部に形成された破断用切込みの形成範囲よりも広範囲に渡るリストバンドを、
ロール状に巻回したことを特徴とする台紙なしリストバンド連続体。
【発明の詳細な説明】
【技術分野】
【０００１】
本発明は、台紙なしリストバンドおよび台紙なしリストバンド連続体に係り、特に遊戯場分野や医療分野で入場者や患者の手首や足首などに環状に巻き付けることによって、人物を特定することができるようにした台紙なしリストバンドおよび台紙なしリストバンド連続体に関する。
【背景技術】
【０００２】
遊園地などの遊戯施設では、入場者にチケットを発行し、このチケットによって会場や場内のアトラクションへの入場チェックを行う。チケットを紛失することなく携帯するためには、チケットホルダなどを別に用意して収納する必要がある。そのため、近年、チケットホルダを必要としないリストバンド型チケットの導入が進められている。
【０００３】
病院などの医療施設でも医薬品の誤投与による医療過誤、あるいは患者の取り違えなどを未然に防止するために、患者の氏名、年齢、性別、血液型などの患者固有の識別情報を表示したリストバンドが使用されている。
【０００４】
一般にリストバンドの形状は帯状で、これを手首や足首に巻き付けて両端部をクリップで留めて使用する。クリップは、オスクリップとメスクリップとで構成されており、オスクリップに形成されたボスをリストバンドの両端部に形成された留め孔に挿入し、これにメスクリップに形成された留め孔を嵌め合わせてリストバンドを環状に巻き留めるものである。クリップで留めたリストバンドは、容易に外れることがなく、数週間単位の使用に耐えうる。
【０００５】
しかしながら、このリストバンドの構成では、リストバンドを固定するためのクリップが必要となり、固定する作業が面倒であると共に、低コストでの提供が困難である。クリップを用いてリストバンドを固定すると、リストバンドの手首側に突起が生じるので、リストバンドの被装着者は肌に違和感を覚えることがある。また、留め孔が長手方向に飛び飛びにしか設けられていないため、このリストバンドは、ミリ単位の任意の径で巻き留められないという不便さがある。
【０００６】
そのため、図７に示すクリップを必要としないリストバンド３０が考えられた。このリストバンド３０は、帯状のバンド基材３１の表面にプレ印刷１１を施し、裏面の一端部近傍に両面粘着テープ３２を設けたものである。両面粘着テープ３２は粘着剤３３を台紙３４で被覆してあり、手首や足首などに巻き付けた後、台紙３４を剥がして粘着剤３３を露出させ、バンド基材３１の端部同士を貼り合わせて使用するので、手首の太さに応じて所望の位置に留めることができ、便利である。リストバンドの被装着者にとっては、肌に違和感を覚えることがなく、快適である。
【０００７】
しかし、このリストバンド３０は便利で快適な一方、粘着剤３３を覆う台紙３４が付いているため、手首や足首などに装着した後に、剥がした台紙３４がゴミになってしまう。
【０００８】
【特許文献１】特開２００２−３６３８０８
【発明の開示】
【発明が解決しようとする課題】
【０００９】
本発明は、係る問題点に鑑みてなされたもので、リストバンドを巻き付ける際にクリップを必要とせず、両面粘着テープを用いる台紙を剥がす手間を省き、剥がした台紙がゴミにならないと共に、手首や足首に巻き付け勝手の良い台紙なしリストバンドおよび台紙なしリストバンド連続体を提供することを課題とする。
【００１０】
また本発明は、人によって異なる太さの手首や足首などでも、リストバンドを巻き付けて固定する際には、所望の位置で貼着固定可能となる作業性の良い台紙なしリストバンドおよび台紙なしリストバンド連続体を提供することを課題とする。
【課題を解決するための手段】
【００１１】
本発明の第一の発明は、帯状のバンド基材に情報を表示可能としているとともに、人体の四肢の少なくともいずれかひとつに巻き付け可能なリストバンドであって、上記バンド基材には、その表面全面に剥離剤層が設けられ、裏面の一端部近傍に粘着剤層が設けられて粘着部を形成し、裏面の上記粘着剤層が設けられていない残余部分を糊なし部とし、
上記粘着部と上記糊なし部とを向かい合わせて貼着し、環状に形成可能であることを特徴とする台紙なしリストバンドである。
第二の発明は、人体の四肢の少なくともいずれかひとつに巻き付けて情報を表示するリストバンドが複数連なったリストバンド連続体であって、情報を表示可能な長尺帯状のバンド基材と、該バンド基材の表面全面に設けられた剥離剤層と、を含み、上記バンド基材および上記剥離剤層を貫通して上記リストバンド連続体をリストバンド一単位に区画するミシン目が等間隔で形成され、該ミシン目によって区画された一単位のリストバンドの裏面には、上記ミシン目の隣接位置に粘着剤層が設けられて粘着部を形成すると共に、上記粘着剤層が設けられていない残余部分を糊なし部とし、ロール状に巻回したことを特徴とする台紙なしリストバンド連続体である。
台紙なしリストバンドの上記バンド基材のうち少なくとも上記粘着部には、該バンド基材を貫通する複数の破断用切込みを形成しておく。
台紙なしリストバンドの上記バンド基材の四隅には、角丸が形成されていることが望ましい。
【発明の効果】
【００１２】
本発明の台紙なしリストバンドおよび台紙なしリストバンド連続体においては、リストバンドを留めるためのクリップが不要になると共に、取り扱いが簡便になる。
また、リストバンドの長さを調節する際は、飛び飛びに設けられた留め孔のピッチによる制約を受けないため、リストバンドの被装着者の手首や足首の太さに合った最適な環状径で巻き付けることができる。
さらに、粘着剤で留める際には粘着剤を被覆するための台紙がないので、使用する際にゴミが出ず、廃棄物の削減に寄与する他、省資源に貢献するという効果がある。
【図面の簡単な説明】
【００１３】
【図１】本発明の台紙なしリストバンド連続体の斜視図。
【図２】本発明の台紙なしリストバンドの説明図であって、図２（ａ）はその台紙なしリストバンドの平面図、図２（ｂ）は図２（ａ）の裏面図、図２（ｃ）は図２（ａ）のｃ−ｃ線断面図。
【図３】ロール状の台紙なしリストバンド連続体に文字情報を印字するための電子プリンタの概略側面図。
【図４】台紙なしリストバンドを手首や足首などの被巻付け部に巻き付けた形態を示す斜視図。
【図５】別の実施例における本発明の台紙なしリストバンド連続体の斜視図。
【図６】別の実施例における本発明の台紙なしリストバンドの説明図であって、図６（ａ）はその台紙なしリストバンドの平面図、図６（ｂ）は図６（ａ）の裏面図。
【図７】従来のリストバンドを説明するための断面図。
【発明を実施するための最良の形態】
【００１４】
以下、本発明の実施の形態について図面を用いて詳細に説明する。
【００１５】
図１に、台紙なしリストバンド連続体１の斜視図を示す。この台紙なしリストバンド連続体１は、帯状の台紙なしリストバンド２を長手方向に複数連続形成し、円筒形状の巻芯３に巻回してロール状にしたものである。台紙なしリストバンド連続体１は、等間隔に設けられたミシン目４によって、一単位ごとに切り離し可能となっている。
【００１６】
図２（ａ）（ｂ）（ｃ）に、台紙なしリストバンド２を示す。図２（ａ）は台紙なしリストバンド２を印字面（表面）から見た平面図である。図２（ｂ）は図２（ａ）を反対の面（裏面）から見た平面図である。図２（ｃ）は図２（ａ）のｃ−ｃ線断面図である。
本発明の台紙なしリストバンド２は、長尺帯状のバンド基材５と、このバンド基材５の表面に透明の剥離剤を全面塗布して設けられた剥離剤層６と、バンド基材５の裏面の一端部近傍に粘着剤を塗布して設けられた粘着剤層７と、からなる。
【００１７】
バンド基材５は、熱を加えると発色するサーマル層を設けた合成樹脂フィルムであって、後述する電子プリンタ２０で情報１３を印字可能である。
バンド基材５として使用する合成樹脂フィルムは、例えば、ＰＥＴフィルム、ＰＥフィルム、ＰＰフィルム、合成紙があげられる。特に表面にサーマル層を設けた合成紙サーマル、ＰＥＴサーマルなどが好適である。
【００１８】
剥離剤層６は、バンド基材５の表面全面に紫外線硬化型のシリコーンを含む透明な剥離剤を印刷または塗工したものである。その他に熱硬化型のシリコーン、アルキルペンダントポリマー、フッ素系樹脂などが使用可能である。
【００１９】
バンド基材５と剥離剤層６の間の一部には、プレ印刷１１を施すことにより、リストバンドの使用方法などが予め表示されている。プレ印刷１１は、紫外線硬化型インキなどの印刷インキによって印刷され、透明な剥離剤層６を透して台紙なしリストバンド２の表面側からこの情報を視認可能である。
【００２０】
図２（ｃ）に示すように、バンド基材５の裏面の一端部近傍には、粘着剤層７を設けた粘着部８が形成されている。この粘着部８以外の残余部分は粘着剤層のない糊なし部９になっている。
【００２１】
粘着部８の粘着剤層７は、必要な強度の粘着力を有する粘着剤をパターン塗工したものである。例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤が挙げられる。
【００２２】
粘着剤層７の幅Ｗ１は、バンド基材５の幅Ｗよりも狭く設けられている。すなわち、バンド基材５の幅方向の両縁には粘着剤層７が設けられていない構成となる。（バンド基材５の幅Ｗ＞粘着剤層７の幅Ｗ１）
【００２３】
また、粘着部８には、この範囲内に複数の破断用切込み１４が各層（剥離剤層６とバンド基材５と粘着剤層７）を貫いて設けられている。破断用切込み１４の形状は略Ｕ字形状で、その両端を結ぶ線分は、バンド基材５の幅方向に略平行である。
糊なし部９にも、略Ｕ字形状の破断用切込み１５が各層（剥離剤層６とバンド基材５）を貫いて複数設けられている。尚、糊なし部９に設けられる破断用切込み１５は、粘着部８の破断用切込み１４よりも形成範囲が広範囲にわたって形成されている。破断用切込み１５の略Ｕ字形状の開放向きは隣同士が互い違い（１８０度回転した向き）に配置形成されている。
【００２４】
ミシン目４の隣接位置には、電子プリンタ２０などにリストバンド連続体１を装入して移送印字する際に台紙なしリストバンド２の位置検出を可能にするタイミングマーク１２が設けられている。図２では、タイミングマーク１２をミシン目４と粘着部８の間に設けたが、糊なし部９のうち破断用切込み１５を除く位置に設けられていれば良いものである。
【００２５】
このように構成される単葉の台紙なしリストバンド２を長手方向に複数連ねて形成し、その先端部を円筒形状の巻芯３に固着させ巻回すると、図１に示すロール状の台紙なしリストバンド連続体１になる。このロール状の台紙なしリストバンド連続体１は、バンド基材５の裏面に設けられた粘着剤層７がロールの内周側に、バンド基材５の表面に設けられた剥離剤層６がロールの外周側に位置する形態である。バンド基材５の表面全面に剥離剤層６が設けられているので、ロールの内周面に位置する台紙なしリストバンド２に貼り付くことがない。
【００２６】
本発明の台紙なしリストバンド２および台紙なしリストバンド連続体１は、以下のように使用する。図３に、ロール状の台紙なしリストバンド連続体１の表面に情報１３を印字するための電子プリンタ２０を示す。
【００２７】
図３に示す電子プリンタ２０には、主にロール保持軸２１、案内ローラ２２、光学センサ２３、サーマルヘッド２４、プラテンローラ２５、発行口２６から構成される。各ローラには、台紙なしリストバンド２の粘着剤が貼り付かないように離型処理が施されている。
【００２８】
まず、ロール状の台紙なしリストバンド連続体１を電子プリンタ２０のロール保持軸２１にセットする。
【００２９】
ロール保持軸２１にセットしたロール状の台紙なしリストバンド連続体１は、その外周側から先端部が引き出された後に案内ローラ２２を経て、光学センサ２３に移送される。
【００３０】
光学センサ２３は、移送されてきた台紙なしリストバンド連続体１の裏面にあるタイミングマーク１２を検出するためのものである。台紙なしリストバンド２を一単位ごとに判断すると共に、下流のサーマルヘッド２４による印字位置の制御を行うものである。その後、台紙なしリストバンド連続体１は、サーマルヘッド２４とプラテンローラ２５とによって狭持移送される。同時に、サーマルヘッド２４の発熱によって台紙なしリストバンド連続体１のサーマル層が発色し、個人識別用の情報１３が印字され、発行口２６から発行される。尚、この電子プリンタでは、一単位ごとに異なる情報１３（いわゆる可変情報）を印字する。
【００３１】
印字された情報１３は、例えば病院などにおいて、患者を特定するためにバンド基材５の表面の中央部に氏名、年齢、性別、血液型やそれらに対応するバーコード、二次元コードなどの患者固有の情報１３などである。この情報１３は、透明な剥離剤層６を透して視認可能になっている。
【００３２】
次に、印字発行した複数の台紙なしリストバンド連続体１をミシン目４で切り離して一単位の台紙なしリストバンド２にする。切り離された一単位の台紙なしリストバンド２は、粘着部８の粘着剤層７が露出している。
【００３３】
図４は、電子プリンタ２０で印字した台紙なしリストバンド２を手首や足首などの被巻付け部Ｈに巻き付けた形態を示したものである。
電子プリンタ２０で印字発行し、ミシン目４で切り離され一単位になった台紙なしリストバンド２は、図４に示すように、手首や足首などの被巻付け部Ｈを周回させた後、台紙なしリストバンド２の裏面の粘着部８と糊なし部９とを向かい合わせて貼着して取り付ける。粘着部８を糊なし部９に貼着する場合、糊なし部９の破断用切込み１５が設けられる部分に貼り合わせて最適な環状径に形成しておく。
取り付け作業において、本発明の台紙なしリストバンド２は、粘着剤を被覆するための台紙３４を有していないので、台紙３４を剥がす手間がなくなると共に、廃棄物の削減に寄与する他、省資源に貢献するものである。
また、従来のリストバンドのようにリストバンドを留めるクリップが不要となり、手首や足首などに巻き付ける際の操作が簡便になる。
また、粘着部８の粘着剤層７がバンド基材５の幅方向の両縁部よりも幅狭に設けられているため、幅方向の両縁から粘着剤がはみ出すことがない。手首や足首などに粘着剤が付着してべたつく不都合も生じない。
さらには、この台紙なしリストバンド２を特に子供や女性の細い手首や足首に巻き付けて貼着した場合は、リストバンドの径が小さくなるために台紙なしリストバンド２の一端部が余剰に突き出てしまう。この場合は、はさみなどの切断用具でこの余剰部２８を切断して取り除いても良い。
【００３４】
台紙なしリストバンド２の使用期間が過ぎて不要になった後も、はさみなどの切断用具で切断して取り外す。
または、粘着部８と糊なし部９とを引き離して取り外しても良い。引き離して取り外した場合、粘着部８と糊なし部９は強く貼着しているため、台紙なしリストバンド２は略Ｕ字形状の破断用切込み１４・１５から裂けてしまう。
遊園地などの遊戯施設やコンサート会場などで使用する場合においては、この破断用切込み１４・１５が形成されていることによって、台紙なしリストバンド２が破損して再利用が困難となり、不正行為の防止に役立つ。
手首や足首から力ずくで台紙なしリストバンド２を引き離そうとした場合、糊なし部の破断用切込み１５の形成範囲が粘着部８の破断用切込み１４よりも広範囲にわたって形成されていると共に、破断用切込み１５の略Ｕ字形状の開放向きは隣り合う破断用切込み１５と互い違い（１８０度回転した向き）に配置形成されているので、手首や足首などに貼着した台紙なしリストバンド２を取り外す場合は、粘着部８および糊なし部９に設けられた破断用切込み１４・１５がきっかけとなって台紙なしリストバンド２が破断してしまう。
【００３５】
破断用切込み１４・１５の形状については、例えばＶ字形のような直線の組み合わせでも、Ｓ字のような曲線でも良い。この他、Ｈ字やＪ字、Ｌ字、Ｍ字、Ｎ字、Ｔ字、Ｘ字、Ｙ字、Ｚ字のような形状であっても構わない。
【００３６】
次に、図５および図６を用いて別の実施例を詳細に説明する。
【００３７】
図５に別の実施例における本発明の台紙なしリストバンド連続体１の斜視図を示す。図６（ａ）（ｂ）に別の実施例における一単位の台紙なしリストバンド２を示す。図６（ａ）は台紙なしリストバンド２を印字面から見た平面図である。図６（ｂ）は図６（ａ）を反対の面から見た裏面図である。
【００３８】
図５に示すロール状の台紙なしリストバンド連続体１は、各ミシン目４の両端部に切り欠き１６を設けたものである。図６に示す切り欠き１６は、各ミシン目４の両端部からバンド基材５の内側に向かって切り欠いた結果、単葉の台紙なしリストバンド２の四隅端の丸まった、いわゆる角丸形状になっている。そのため、台紙なしリストバンド連続体１からミシン目４を介して単葉の台紙なしリストバンド２に切り離す際、台紙なしリストバンド２の四隅端のいずれも指で摘み易くなるため、切り離し作業が簡便になる。また、切り離した台紙なしリストバンド２を手首や足首などに巻き付けた後、台紙なしリストバンド２の四隅端が丸まっているため、被装着者の肌を傷つけることがない。
【００３９】
粘着剤の粘着特性は、一旦貼り合わせた台紙なしリストバンド２の再使用防止を図るために、強粘、超強粘、冷凍糊等と呼ばれる粘着力が比較的強いもの（例えば、５００ｇｆ／２５ｍｍ以上、望ましくは８００ｇｆ／２５ｍｍ以上，ＪＩＳ  Ｚ−１５３８）を使用する。
【００４０】
また、本実施の形態では本発明の台紙なしリストバンド２を病院などの医療施設で患者識別のために使用されるリストバンドに適用した例で説明したが、本発明の適用は、これに限定されるものではなく、あらゆる用途のリストバンドに適用することができる。例えば、遊園地などの遊戯施設やコンサート会場では入場チケットとして、また、スキー場などではリフト券として使用可能である。
【符号の説明】
【００４１】
１  台紙なしリストバンド連続体
２  台紙なしリストバンド
３  巻芯
４  ミシン目
５  バンド基材
６  剥離剤層
７  粘着剤層
８  粘着部
９  糊なし部
１１  プレ印刷
１２  タイミングマーク
１３  情報
１４  破断用切込み
１５  破断用切込み
１６  切り欠き
２０  電子プリンタ
２１  ロール支持軸
２２  案内ローラ
２３  光学センサ
２４  サーマルヘッド
２５  プラテンローラ
２６  発行口
２８  余剰部
３０  リストバンド
３１  バンド基材
３２  両面粘着テープ
３３  粘着剤
３４  台紙
Ｗ  バンド基材の幅
Ｗ１  粘着剤層の幅
Ｈ  被巻付け部
【図１】
0005893281.tif 000002
【図２】
0005893281.tif 000003
【図３】
0005893281.tif 000004
【図４】
0005893281.tif 000005
【図５】
0005893281.tif 000006
【図６】
0005893281.tif 000007
【図７】
0005893281.tif 000008